(57)【要約】【課題】発光面積を大きくした表示ランプを提供する。【解決手段】ボディ１及びカバー２からなり施工面に固定された取付枠に取着される器体と、カバー２の前面に設けた開口２３と、開口２３に連通してカバー２の内部に設けられたランプ収納室２４と、ボディ１の内部に収納され外部からの電線がそれぞれ接続される２つの端子装置７，７と、両端子装置７，７の間に電気的に接続されランプ収納室２４の内部に収納された表示用のランプと、開口２３を覆うようにしてカバー２の前面に被着されるランプカバー２５とを備え、カバー２の前面における開口２３の外側の部位に係止孔１４ａを設けるとともに、ランプカバー２５に係止孔１４ａと凹凸係止する係止片２５ｃを設け、開口２３の大きさを取付枠の開口窓から露出する器体の前面と略同じ大きさとしてある。【選択図】      図１
2004205548.tif 000002
【特許請求の範囲】
【請求項１】
細長で長手方向に複数の器具取付部を有する開口窓を備えた取付枠の器具取付部と係止離脱自在に係止する取付手段を有し、開口窓から前面を露出させた状態で取付枠に取り付けられる器体と、器体の前面に設けた開口と、前記開口に連通して器体の内部に設けられたランプ収納室と、器体の内部に収納され外部からの電線がそれぞれ接続される２つの端子装置と、両端子装置の間に電気的に接続されランプ収納室の内部に収納された表示用のランプと、前記開口を覆うようにして器体の前面に被着されるランプカバーとを備え、器体の前面における前記開口の外側の部位に被係止部を設けるとともに、ランプカバーに被係止部と凹凸係止する弾性係止部を設け、前記開口の大きさを開口窓から露出する器体の前面と略同じ大きさとしたことを特徴とする表示ランプ。
【請求項２】
ランプ収納室は上記開口の投影範囲に形成され、前記ランプ収納室の底面にランプ光を前方に反射する反射面を形成したことを特徴とする請求項１記載の表示ランプ。
【請求項３】
ランプ収納室の内部にランプ光を拡散する拡散部材を配置したことを特徴とする請求項１記載の表示ランプ。
【請求項４】
ランプ収納室の内部にランプ光を減光させる減光部材を配置したことを特徴とする請求項１記載の表示ランプ。
【請求項５】
ランプと直列に電流制限用の抵抗器を接続し、該抵抗器を配置するスペースをランプ収納室の裏側に設けたことを特徴とする請求項１記載の表示ランプ。
【請求項６】
ランプカバーの表面を、中央部が両側部に比べて前方に突出するような曲面に形成したことを特徴とする請求項１記載の表示ランプ。
【請求項７】
ランプカバーの表面に、他の部位よりも前方に突出する凸部を形成したことを特徴とする請求項６記載の表示ランプ。
【請求項８】
ランプカバーの裏側に、表示内容を記載した表示シートを配置したことを特徴とする請求項１記載の表示ランプ。
【請求項９】
ランプカバーにおける弾性係止部が設けられた部位を他の部位に比べて薄肉に形成したことを特徴とする請求項８記載の表示ランプ。
【請求項１０】
上記各端子装置は電線が接続される端子板を有し、上記ランプ及びランプに直列接続された電流制限用の抵抗器の一方のリードにそれぞれ当接するとともに、先端部が各端子板に弾接する導電性の弾接ばね片を設け、上記ランプ及び抵抗器の一方のリードに対して略直交する方向から弾接ばね片を交差させるように弾接ばね片を配置したことを特徴とする請求項１記載の表示ランプ。
【請求項１１】
上記器体を、端子装置を収納する後面側のボディと、ボディの前面に結合され、前面にランプカバーが取着されるカバーとで構成し、ボディと端子装置の部品を既存の表示ランプと共用したことを特徴とする請求項１記載の表示ランプ。
【請求項１２】
ランプを基板に実装してランプ収納室の内部に収納したことを特徴とする請求項１記載の表示ランプ。
【請求項１３】
上記取付枠の開口窓には長手方向に３組の器具取付部が設けられ、開口窓の長手方向に沿う方向の器体の寸法を開口窓の長手方向寸法の略３分の１に形成し、開口窓の長手方向に沿う寸法が開口窓の長手方向寸法の略３分の１に形成された１個モジュール用のランプカバーと略３分の２に形成された２個モジュール用のランプカバーの何れかを選択的に器体に取付可能としたことを特徴とする請求項１記載の表示ランプ。
【発明の詳細な説明】
【０００１】
【発明の属する技術分野】
本発明は、表示ランプに関するものである。
【０００２】
【従来の技術】
従来より、負荷への通電状態を表示する埋込型の表示ランプ（パイロットランプ）が提供されている（例えば特許文献１参照）。
【０００３】
また従来より、図２２〜図２８に示すような構造を有する表示ランプも提供されている。この表示ランプの器体は、前面が開口した略箱状の合成樹脂製のボディ１と、前面が略矩形状に形成された合成樹脂製のカバー２とを結合して構成される。
【０００４】
ボディ１の内部は、長手方向の両側壁の内側面に突設されたリブによって２つの端子収納室６，６に分けられており、各端子収納室６にはそれぞれ速結端子構造の端子装置７が収納されている。端子装置７は、コ字状部８を有する導電材料から形成された端子板９と、端子板９のコ字状部８に収納された一対の鎖錠ばね１０とから構成され、ボディ１の底面には各端子収納室６に連通する電線挿入口（図示せず）が２個づつ穿設されている。
【０００５】
カバー２は、前面が略矩形状に形成されて前方に突出する突台部１３を有している。突台部１３の前面略中央には矩形状の開口１６が設けられ、この開口１６には透光性を有する材料から形成されたランプカバー１７が着脱自在に取着される。ランプカバー１７は前面が略矩形状に形成され、長手方向に沿う両側部の後縁から係止片１７ａがそれぞれ背面方向に突設され、各係止片１７ａの先端部には外側に向かって突出する係止爪１７ｂが突設されている。而して、このランプカバー１７をカバー２に取り付ける際には、図２７に示すようにランプカバー１７の係止片１７ａを開口１６内に挿入すると、係止爪１７ｂがカバー２の内側面に形成した係止凹所２ａと係止して、ランプカバー１７がカバー２に取り付けられるのである。
【０００６】
図２４及び図２６（ａ）に示すように、開口１６の奥にはネオンランプ１８と電流制限用の抵抗器１９とが配置されており、ネオンランプ１８の一方のリード１８ａと抵抗器１９の一方のリード１９ａは互いに電気的に接続されている。また図２６（ｂ）に示すようにカバー２の裏面には、カバー２の長手方向に沿って２条のリブ２１，２１が突設されており、各リブ２１には端子板９の中央片８ａに対応する部位に切欠２１ａを設けてある。そして、ネオンランプ１８及び抵抗器１９の他方のリード１８ｂ，１９ｂは、カバー２の孔を通して裏面側に引き出され、各リブ２１の切欠部２１ａ，２１ａ内に挿入されている。
【０００７】
また、カバー２の裏面には導電性を有する弾性材料から形成された弾接ばね２０，２０がそれぞれ圧入固定されている。各弾接ばね２０は、カバー２の裏面に設けた圧入溝２ｂに圧入される断面コ字形の圧入固定片２０ａと、圧入固定片２０ａの中央片の下縁から延出した弾接片２０ｂ（弾接ばね片）とで構成される。各弾接ばね２０の弾接片２０ｂはリブ２１，２１の間に配置されており、ネオンランプ１８及び抵抗器１９の他方のリード１８ｂ，１９ｂにそれぞれ電気的に接続される。而して、ボディ１とカバー２とを組み立てると、図２３に示すように各弾接ばね２０の弾接片２０ｂの先端が端子板９の中央片８ａにそれぞれ弾接し、両端子装置７，７間にネオンランプ１８と抵抗器１９の直列回路が接続されるのである。ここで、両端子装置７，７間に電圧が印加されると、ネオンランプ１８が点灯し、ネオンランプ１８の光はランプカバー１７を介して前方に放射され、位置表示や負荷の動作表示やサイン表示を行うことができる。
【０００８】
【特許文献１】
特開平３−２７６５０６号公報（第２頁左上欄第５行目−第２頁右上欄第７行目、及び、第３図）
【０００９】
【発明が解決しようとする課題】
上記構成の表示ランプでは、ランプカバー１７の係止片１７ａをカバー２の開口１６内に挿入し、係止爪１７ｂをカバー２の内側面に設けた係止凹所２ａと凹凸係止させることによって、ランプカバー１７とカバー２とを結合しているので、開口１６の大きさがカバー２の前面に比べて小さくなっており、その結果、ランプカバー１７の大きさも小さくなり、発光面積を大きくとれないという問題があった。
【００１０】
また、ネオンランプ１８がカバー２に固定されていないため、光り方にばらつきがあり、組立性が悪いという問題もあった。
【００１１】
本発明は上記問題点に鑑みて為されたものであり、請求項１〜１３の発明の目的とするところは、発光面積を大きくした表示ランプを提供することにある。また、請求項１２の発明の目的とするところは、上記の目的に加えて、光り方のばらつきを小さくするとともに、組立性を向上させた表示ランプを提供することにある。
【００１２】
【課題を解決するための手段】
上記目的を達成するために、請求項１の発明では、細長で長手方向に複数の器具取付部を有する開口窓を備えた取付枠の器具取付部と係止離脱自在に係止する取付手段を有し、開口窓から前面を露出させた状態で取付枠に取り付けられる器体と、器体の前面に設けた開口と、前記開口に連通して器体の内部に設けられたランプ収納室と、器体の内部に収納され外部からの電線がそれぞれ接続される２つの端子装置と、両端子装置の間に電気的に接続されランプ収納室の内部に収納された表示用のランプと、前記開口を覆うようにして器体の前面に被着されるランプカバーとを備え、器体の前面における前記開口の外側の部位に被係止部を設けるとともに、ランプカバーに被係止部と凹凸係止する弾性係止部を設け、前記開口の大きさを開口窓から露出する器体の前面と略同じ大きさとしたことを特徴とする。
【００１３】
請求項２の発明では、請求項１の発明において、ランプ収納室は上記開口の投影範囲に形成され、前記ランプ収納室の底面にランプ光を前方に反射する反射面を形成したことを特徴とする。
【００１４】
請求項３の発明では、請求項１の発明において、ランプ収納室の内部にランプ光を拡散する拡散部材を配置したことを特徴とする。
【００１５】
請求項４の発明では、請求項１の発明において、ランプ収納室の内部にランプ光を減光させる減光部材を配置したことを特徴とする。
【００１６】
請求項５の発明では、請求項１の発明において、ランプと直列に電流制限用の抵抗器を接続し、該抵抗器を配置するスペースをランプ収納室の裏側に設けたことを特徴とする。
【００１７】
請求項６の発明では、請求項１の発明において、ランプカバーの表面を、中央部が両側部に比べて前方に突出するような曲面に形成したことを特徴とする。
【００１８】
請求項７の発明では、請求項６の発明において、ランプカバーの表面に、他の部位よりも前方に突出する凸部を形成したことを特徴とする。
【００１９】
請求項８の発明では、請求項１の発明において、ランプカバーの裏側に、表示内容を記載した表示シートを配置したことを特徴とする。
【００２０】
請求項９の発明では、請求項８の発明において、ランプカバーにおける弾性係止部が設けられた部位を他の部位に比べて薄肉に形成したことを特徴とする。
【００２１】
請求項１０の発明では、請求項１の発明において、上記各端子装置は電線が接続される端子板を有し、上記ランプ及びランプに直列接続された電流制限用の抵抗器の一方のリードにそれぞれ当接するとともに、先端部が各端子板に弾接する導電性の弾接ばね片を設け、上記ランプ及び抵抗器の一方のリードに対して略直交する方向から弾接ばね片を交差させるように弾接ばね片を配置したことを特徴とする。
【００２２】
請求項１１の発明では、請求項１の発明において、上記器体を、端子装置を収納する後面側のボディと、ボディの前面に結合され、前面にランプカバーが取着されるカバーとで構成し、ボディと端子装置の部品を既存の表示ランプと共用したことを特徴とする。
【００２３】
請求項１２の発明では、請求項１の発明において、ランプを基板に実装してランプ収納室の内部に収納したことを特徴とする。
【００２４】
請求項１３の発明では、請求項１の発明において、上記取付枠の開口窓には長手方向に３組の器具取付部が設けられ、開口窓の長手方向に沿う方向の器体の寸法を開口窓の長手方向寸法の略３分の１に形成し、開口窓の長手方向に沿う寸法が開口窓の長手方向寸法の略３分の１に形成された１個モジュール用のランプカバーと略３分の２に形成された２個モジュール用のランプカバーの何れかを選択的に器体に取付可能としたことを特徴とする。
【００２５】
【発明の実施の形態】
本発明の実施の形態を図面に基づいて説明する。
【００２６】
（実施形態１）
本発明の実施形態１を図１〜図１５を参照して説明する。尚、表示ランプの基本的な構成は従来例と同様であるので、共通する構成要素には同一の符号を付してその説明は省略する。
【００２７】
本実施形態の表示ランプの器体は、前面が開口した略箱状の合成樹脂製のボディ１と、前面視の形状が略矩形状に形成されるとともに、ボディ１の開口面に被着される合成樹脂製のカバー２とで構成される。カバー２の短幅方向における両側面の後縁からはそれぞれ係止片３，３が背面方向に突設され、各係止片３の先端部には外側に向かって突出する係止爪４がそれぞれ突設されている。一方、ボディ１の開口縁における係止片３に対応する部位には係止片３が挿入される係止孔５がそれぞれ形成されており、係止片３を係止孔５に挿入すると、係止孔５の孔縁と係止爪４とが係止して、ボディ１とカバー２とが結合される。
【００２８】
ボディ１の内部は、長手方向の両側壁の内側面に突設されたリブによって２つの端子収納室６，６に分けられており、各端子収納室６，６にはそれぞれ速結端子構造の端子装置７，７が収納されている。端子装置７は、コ字状部８を有する導電材料から形成された端子板９と、端子板９のコ字状部８に収納された一対の鎖錠ばね１０とで構成され、ボディ１の底面には各端子収納室６に連通する電線挿入口（図示せず）が２個づつ穿設されている。
【００２９】
ここで、端子板９および鎖錠ばね１０から構成される端子装置７について簡単に説明する。鎖錠ばね１０の鎖錠片１０ｂおよび接触片１０ｃは、弾性を有する導電性の帯板の両端部を曲成して中央片１０ａの両端部に形成される。また、端子板９のコ字状部８は、それぞれ、中央片８ａと、中央片８ａの両端縁から中央片８ａと略直交する方向にそれぞれ突出する当接片８ｂおよび接触片８ｃから構成される。そして、図６に示すように鎖錠ばね１０の中央片１０ａは、端子板９の当接片８ｂに当接し、鎖錠片１０ｂは中央片１０ａとの連結部位から先端縁に向かって端子板９の接触片８ｃに近付く向きに傾斜し、また接触片１０ｃは略Ｓ字状に曲成されており、鎖錠片１０ｂ及び接触片１０ｃは端子板９の接触片８ｃとそれぞれ対向している。また、各端子収納室６の内部には、一対の鎖錠ばね１０の鎖錠片１０ｂに両側の突起部１１ａを対向させるようにして解除釦１１がそれぞれ１個ずつ収納されている。
【００３０】
この端子装置７に電線を接続する場合は、電線の被覆が剥かれた芯線（図示せず）を電線挿入孔からボディ１内部に挿入すると、鎖錠ばね１０のばね力により鎖錠ばね１０の鎖錠片１０ｂ及び接触片１０ｃと、端子板９の接触片８ｃとの間に芯線の導体が挟持され、端子板９への電気的接続がなされるとともに、鎖錠片１０ｂの先端縁が芯線の導体に食い込むことによって、芯線の脱落が防止されるようになっている。また、端子装置７に接続された電線の芯線を外す場合は、ボディ１の底面に穿設された工具挿入孔１２からマイナスドライバなどの工具の先端を挿入して、解除釦１１を押圧することにより、解除釦１１の突起部１１ａが鎖錠片１０ｂを接触片８ｃから離れる向きに撓ませるので、鎖錠片１０ｂが芯線の導体から離れ、芯線を容易に引き抜くことができる。
【００３１】
一方、カバー２の前面には、角筒状のカバー保持部２２が一体に形成されており、このカバー保持部２２はカバー２の前面と略同じ寸法に形成されている。カバー保持部２２の長手方向の両側面には、カバー保持部２２の前面よりも後退した位置に張出部１４，１４が形成されており、各張出部１４の側縁には後述するプレート枠Ｂの係止溝６４ａ，６５ａと係止離脱自在に係止する一対の係止爪片１５がそれぞれ突設されている。
【００３２】
カバー保持部２２の前面には開口２３が設けられ、開口２３の奥にはランプ収納室２４が形成されている。そして、カバー保持部２２には開口２３を覆うようにして透光性を有する材料から形成されたランプカバー２５が着脱自在に取着される。
【００３３】
ランプカバー２５は、図１及び図３に示すように、前面視の形状が略矩形状であって、長手方向の中央部が両側部に比べて前方に突出するような曲面形状に形成された主部２５ａと、主部２５ａの周縁部から後方に突出する側部２５ｂとで構成され、短幅方向に沿う両側部２５ｂの下側縁からは各一対の係止爪片２５ｃが突設されている。また、カバー２の張出部１４，１４には、ランプカバー２５の係止爪片２５ｃに対応する位置に係止孔１４ａが２個ずつ形成されている。而して、ランプカバー２５をカバー２に取り付ける際には、図４（ａ）に示すようにランプカバー２５の片側にある２個の係止爪片２５ｃを係止孔１４ａ内に挿入した後、ランプカバー２５の反対側をカバー２側に押すと、反対側にある２個の係止爪片２５ｃが係止孔１４ａの縁に凹凸係止して、ランプカバー２５がカバー２に結合される。
【００３４】
ランプカバー２５の表面は、図１３に示すように中央部が両側部に比べて前方に突出するような曲面に形成されており、後述する化粧プレートＣよりも前方に突出しているので、離れた場所や角度のない場所からでもランプカバー２５の点灯状態を容易に視認することができ、また表示ランプＡの見栄えも良くなる。尚、図１４及び図１５に示すようにランプカバー２５の表面の略中央に半球状の凸部３１を形成しても良く、この凸部３１によって離れた場所や角度のない場所からでも点灯状態の視認がさらに容易になる。
【００３５】
ランプ収納室２４の底には、図１１（ａ）に示すようにネオンランプ１８と電流制限用の抵抗器１９とが収納されている。ネオンランプ１８の一方のリード１８ａと抵抗器１９の一方のリード１９ａは互いに電気的に接続されている。図１１（ｂ）に示すように、ネオンランプ１８の他方のリード１８ｂと、抵抗器１９の他方のリード１９ｂはそれぞれランプ収納室２４の裏面側に引き出され、カバー２の長手方向に沿って配置される。ランプ収納室２４の裏面にはリード１８ｂ，１９ｂの両側部にそれぞれ突起３０が突設されており、突起３０によってリード１８ｂ，１９ｂをガイドしている。尚、本実施形態では表示用のランプとしてネオンランプ１８を用いているが、ネオンランプ１８以外の発光ダイオードなどの光源を用いても良い。
【００３６】
また、カバー２の裏面には導電性を有する弾性材料から形成された弾接ばね２０，２０がそれぞれ圧入固定されている。各弾接ばね２０は、カバー２の長手方向の両側壁にそれぞれ設けた圧入溝２ｃに圧入される断面コ字形の圧入固定片２０ａと、圧入固定片２０ａの中央片の下縁から延出した弾接片２０ｂとで構成される。各弾接ばね２０の弾接片２０ｂは、カバー２の短幅方向に沿って延出しており、ネオンランプ１８及び抵抗器１９の他方のリード１８ｂ，１９ｂにそれぞれ電気的に接続される。而して、ボディ１とカバー２とを組み立てると、図６に示すように各弾接ばね２０の弾接片２０ｂの先端が端子板９の中央片８ａにそれぞれ弾接し、両端子装置７，７間にネオンランプ１８と抵抗器１９の直列回路が接続されるのである。ここで、両端子装置７，７間に電圧が印加されると、ネオンランプ１８が点灯し、ネオンランプ１８の光は後述のランプカバー１７を介して前方に放射され、位置表示や負荷の動作表示やサイン表示などを行うことができる。
【００３７】
上述のように本実施形態では、ランプカバー２５の係止爪片２５ｃ（弾性係止部）が凹凸係止する係止孔１４ａ（被係止部）をカバー保持部２２の外側に設けているので、カバー保持部２２に設けた開口２３の大きさを、カバー２の前面と略同じ大きさに形成することができ、ネオンランプ１８の光によって発光するランプカバー２５の発光面積を大きくすることができる。また、ランプ収納室２４を開口２３の投影範囲に形成しており、従来に比べてランプ収納スペースを大きくしているので、ネオンランプ１８に従来よりも輝度の高い大型のランプを使用でき、ランプの選択の自由度を高めることができる。
【００３８】
また、ランプ収納室２４の底面にはカバー２と一体に反射面２４ａが形成されており、ネオンランプ１８から後方への光を開口２３側に反射している。上述ようにランプ収納室２４を従来に比べて大型化しているので、反射面２４ａも従来に比べて大きくすることができ、ランプ光を広い範囲に反射して発光面を拡大することができる。尚、反射面２４ａはカバー２と一体に形成しているため、カバー２と同色でも良いが、反射率を高めるために白色系の色を塗っても良い。また反射面２４ａには、ネオンランプ１８の両側に傾斜面を形成してあり、この傾斜面によってより多くのランプ光を反射し、ランプカバー２５の表面をより明るくすることができる。
【００３９】
また本実施形態では、ネオンランプ１８及び抵抗器１９のリード１８ｂ，１９ｂをカバー２の長手方向に沿って配置するとともに、弾接片２０ｂがカバー２の短幅方向に沿うように弾接ばね２０を配置しており、リード１８ｂ，１９ｂに対して弾接片２０ｂが略直交するように弾接ばね２０を配置しているので、ランプ収納室２４の裏面側に引き出したリード１８ｂ，１９ｂを曲げることなく、ストレートの形状のまま配置して、弾接片２０ｂと接触させることができ、従来の表示ランプに比べて組立性が向上する。
【００４０】
ところで、本実施形態ではランプ収納室２４の底に抵抗器１９を配置しているので、抵抗器１９がランプ光の反射を遮ってしまうという問題がある。そこで、図１２（ａ）（ｂ）に示すように、ランプ収納室２４の裏面側に抵抗器１９の配置スペースを設けて、この配置スペースに抵抗器１９を配置し、ネオンランプ１８のリード１８ａをランプ収納室２４の裏側に引き出して抵抗器１９のリード１９ａに電気的に接続させるようにしても良く、抵抗器１９によってランプ光が遮られるのを防止して、発光面（ランプカバー２５の表面）の明るさのばらつきを無くすことができる。
【００４１】
また、図６及び図７に示すようにランプカバー２５の主部２５ａの裏面側には表示内容を記載した表示シート２６が取り付けられる。表示シート２６はカバー保持部２２の前面と略同じ大きさに形成されており、カバー保持部２２の前面に表示シート２６を載置してランプカバー２５を取り付けると、ランプカバー２５とカバー保持部２２との間に表示シート２６が保持される。図５（ａ）〜（ｃ）は表示シート２６の表示の一例であり、通電表示を行う場合の負荷の名称や、「起こさないでください」「掃除してください」といった警告或いはメッセージを表すシンボルが表示してあり、このような表示から表示ランプＡがなにを表示しているのかを容易に識別できる。
【００４２】
また、ランプ収納室２４の両側壁には段差部２４ｂが形成されており、図６及び図７に示すように段差部２４ｂに乳白色の拡散板２７（拡散部材）を載置すれば、ネオンランプ１８の光が乳白色の拡散板２７を通してランプカバー２５へ照射されるから、ランプカバー２５の中心部だけ明るかった発光を均一にすることができる。尚、段差部２４ｂに拡散板２７を載置すると、拡散板２７の前面がカバー２の前面と略同じ面になるように段差部２４ｂの深さ寸法が設定されているので、ランプカバー２５をカバー２に被着すると、ランプカバー２５とカバー２との間に拡散板２７が保持される。
【００４３】
また、図８及び図９に示すように段差部２４ｂに減光板２８を載置しても良く、ネオンランプ１８の光を透光率の異なる減光板２８（減光部材）を通してランプカバー２５へ照射させることで、抵抗器１９の抵抗値を変化させることなく、ランプカバー２５の明るさを調整することができる。また、減光板２８の代わりにネオンランプ１８の光を部分的に遮光する遮光板２９を載置しても良い。図１０（ａ）〜（ｄ）は遮光板２９の例であり、ネオンランプ１８の光を遮光板２９で部分的に遮光することによって、表示シート２６の図形に部分的に陰影を施すことができ、標示内容を強調することもできる。尚、図１０（ａ）〜（ｄ）の斜線部は遮光部分を示している。
【００４４】
次に、造営面に固定され上述した表示ランプＡが取り付けられるプレート枠Ｂ（取付枠）、及び、プレート枠Ｂの前面に被着される化粧プレートＣについて、図１９〜図２１を参照して説明する。プレート枠Ｂの矩形枠状のプレート枠本体６１は絶縁性を有する合成樹脂（ＡＢＳ樹脂のような熱可塑性樹脂又は弾性を有する熱硬化性樹脂）により各部材が一体に形成されており、その中央部には上述した表示ランプＡなどの配線器具の機能面（すなわちランプカバー２５）を前面側へ露出させるための細長の開口窓６２が設けてある。この開口窓６２の周縁背面側には、開口窓６２の長手方向に沿って互いに対向するように帯状の固定梁部６４並びに可動梁部６５が設けてある。可動梁部６５はプレート枠本体６１の長手方向に沿った一対の側枠片６３ａ，６３ｂの一方の側枠片６３ｂから離間し、且つ連結部６６によりその両端において側枠片６３ｂに一体に連結してある。ここで、可動梁部６５並びに連結部６６を含めてプレート枠本体６１を形成している合成樹脂は可撓性材料であり、プレート枠本体６１に対して可動梁部６５並びに連結部６６がそれぞれ撓み自在となっている。
【００４５】
また、側枠片６３ｂから一体に延設された幅狭の一対のリブ６７によって可動梁部６５が支持されており、可動梁部６５と側枠片６３ｂとの間にできる隙間が上記リブ６７によって３つの部分（以下、各部分をスリット６８ａ〜６８ｃと呼ぶ。）に分割されることになる。このうち、両側のスリット６８ａ，６８ｃは外側端部が連結部６６の方へ屈曲させてある。さらに側枠片６３ｂの各リブ６７近傍の部位には、可動梁部６５を撓み易くさせるために長孔状の溝６９が一対設けてある。
【００４６】
一方、固定梁部６４並びに可動梁部６５の開口窓６２側の面には、開口窓６２の長手方向に沿って、表示ランプＡの器体の両側縁にそれぞれ突設された各一対の係止爪片１５（取付手段）が係止する係止溝６４ａ，６５ａ（器具取付部）を各々３対ずつ等ピッチにて設けてある。従って、表示ランプＡの器体に設けた係止爪片１５を各係止溝６４ａ，６５ａに係止することにより、ランプカバー２５を開口窓６２から露出させた状態でプレート枠本体６１に表示ランプＡの器体を取着することができ、少なくとも配線器具の前面を略全て露出させるような寸法に形成された開口窓６２を有するプレート枠Ｂに表示ランプＡを取り付けることができる。
【００４７】
ここで固定梁部６４並びに可動梁部６５の先端部分には、表示ランプＡの係止爪片１５をプレート枠本体６１の背面側から係止溝６４ａ，６５ａに係止する際に、各係止爪片１５を係止溝６４ａ，６５ａにガイドするため、各々外側に向けて傾斜したテーパ面を有するガイド部６４ｂ，６５ｂが設けてある。すなわち、図２１（ａ）に示すようにプレート枠Ｂに表示ランプＡを取り付ける際に、係止爪片１５をガイド６４ｂ，６５ｂのテーパ面に当接した状態で表示ランプＡの器体をプレート枠本体６１の背面側から前面側に押し込めば、係止爪片１５がガイド部６４ｂ，６５ｂのテーパ面に沿って移動することにより、ガイド部６４ｂ，６５ｂにガイドされてスムーズに係止溝６４ａ，６５ａに係止することができる。
【００４８】
また、固定梁部６４並びに可動梁部６５の基部とプレート枠本体６１の開口窓６２の端縁との間には、係止爪片１５を各係止溝６４ａ，６５ａに係止させた状態で表示ランプＡの器体の前面側の一部に当接する当接部６４ｄ，６５ｄが設けてある。このため、プレート枠Ｂに取り付けた状態で表示ランプＡの器体にプレート枠Ｂの前面方向へ力が加わった場合に、器体が前面側へ移動するのを当接部６４ｄ，６５ｄによって規制することができる。
【００４９】
同様に、表示ランプＡの器体にプレート枠Ｂの背面方向へ力が加わった場合には、係止爪片１５と係止溝６４ａ，６５ａとが当接しているために器体の移動が規制できる。しかもプレート枠本体６１の可動梁部６５と側枠片６３ｂとを連結している連結部６６は、スリット６８ａ，６８ｃの外側端部が屈曲して形成されていることで薄肉になっており、その結果表示ランプＡの器体に前面側から背面方向への強い押圧力が加えられたときに可動梁部６５が開口窓６２側へ倒れるように撓むので、可動梁部６５の係止溝６５ａから表示ランプＡの器体に設けた係止爪片１５が外れることがなく、プレート枠Ｂからの表示ランプＡの脱落を防止することができる。
【００５０】
さらに固定梁部６４には各係止溝６４ａの間にプレート枠本体６１の前面側から貫通する器具外し孔６４ｃが穿設してあり、ドライバや取外し専用の治具等の先端部分をこの器具外し孔６４ｃに挿入し、治具の先端部分で器体を可動梁部６５側へ押してやれば梃子の原理によって僅かな力で可動梁部６５を撓ますことができ、固定梁部６４側の係止溝６４ａと器体の係止爪片１５との係止を解いてプレート枠本体６１から表示ランプＡの器体を取り外すことができるようになっている。
【００５１】
ところで、開口窓６２の寸法は図２（ａ）〜（ｃ）に示す表示ランプＡの寸法を基準寸法（以下、この寸法を「１個モジュール寸法」と呼ぶ。）としたときに、表示ランプＡの長手方向を開口窓６２の長手方向と略直交させた状態で１個モジュール寸法の表示ランプＡが長手方向と略直交する方向に３個並べて取り付けることができる寸法（以下、この寸法を「３個モジュール寸法」と呼ぶ。）にしてある。同様にプレート枠本体６１の固定梁部６４及び可動梁部６５に設けた各係止溝６４ａ，６５ａのピッチは、１個モジュール寸法の表示ランプＡの器体に設けられた係止爪片１５のピッチと等しくなっている。なお、上記１個モジュール寸法は適当な値に設定すればよく（わが国においては、「大角形連用配線器具」としてＪＩＳで規格化されている（ＪＩＳ Ｃ８３７５等参照）。このようなモジュール寸法に適合した配線器具であれば、共通してプレート枠Ｂに取り付けることができるものである。
【００５２】
一方、固定梁部６４及び可動梁部６５の各係止溝６４ａ，６５ａは全て等ピッチで６個ずつ設けてあるので、１個モジュール寸法の表示ランプＡをプレート枠本体６１に取り付ける際に、表示ランプＡの器体に設けた一対の係止爪片１５を何れの係止溝６４ａ，６５ａにも係止させることができ、プレート枠本体６１の開口窓６２に対する表示ランプＡの取付位置は５通りの中から任意に選択することができる。
【００５３】
ところで、プレート枠本体６１の長手方向に対向する両側片７０には各々凹所７１が形成してある。各凹所７１には、プレート枠Ｂを埋込ボックス（図示せず）に取り付けるためのボックスねじを挿通する長孔７２と、プレート枠Ｂを壁面等の造営面に直付けするためのねじが挿通されるねじ挿通孔７３と、造営面を形成する壁パネル等に取り付ける際に使用するはさみ金具（図示せず）を係止するはさみ金具係止孔７４とが設けてある。またプレート枠本体６１の四隅には、化粧プレートＣのプレート本体８０背面から突設した係止突起８３を係止する化粧プレート係止孔７５が設けてあり、これらの化粧プレート係止孔７５に係止突起８３を挿入係止することでプレート枠Ｂの前面側に化粧プレートＣを着脱自在に取り付けることができるようになっている。
【００５４】
一方、化粧プレートＣのプレート本体８０は、絶縁性を有する合成樹脂（ＡＢＳ樹脂のような熱可塑性樹脂又は弾性を有する熱硬化性樹脂）により、プレート枠Ｂの前面を覆う矩形の主部８１と、主部８１の全周縁から背面側に突出する側壁８２とを一体に形成した略箱形としてある。上記係止突起８３は主部８１の背面側の四隅に突設してある。また主部８１の略中央には、プレート枠Ｂに取り付けた表示ランプＡの突台部１３を露出する開口窓８１ａが設けてある。
【００５５】
また、プレート本体８０の長手方向に沿った一方の側壁８２には一対の切欠部８６が設けてあり、この切欠部８６に治具（ドライバの先端等）を差し込んでプレート本体８０に前面側への力を加えることにより、プレート本体８０の係止突起８３とプレート枠本体６１の化粧プレート係止孔７５との係止を解除し、化粧プレートＣをプレート枠Ｂから取り外すことができるようにしてある。ここで、プレート枠本体６１の側枠片６３ｂの切欠部８６に対応する位置にはテーパ面６３ｃよりも内側へ窪んだ逃がし部７６が設けてあり、切欠部８６に差し込まれた治具を逃がすことで奥まで挿入でき、化粧プレートＣを取り外す際に力が加え易くしてある。さらに、逃がし部７６の背面側端部からは薄肉のリブ７７が、化粧プレートＣの切欠部８６から突出しない程度まで延設してある。すなわち、切欠部８６に差し込んだ治具に造営面に当接する部分を支点として力を加えることで造営面に傷が付く虞があるが、リブ７７を設けることで切欠部８６に差し込んだ治具がリブ７７に当接することになり、化粧プレートＣをプレート枠Ｂから取り外す際に治具によって造営面に傷が付くのを防ぐことができる。
【００５６】
プレート本体８０の背面側には、プレート枠Ｂに取着したときにプレート枠本体６１に設けた３つのスリット６８ａ〜６８ｃにそれぞれ嵌入される突条片８８ａ〜８８ｃが列設してある。ここで、各突条片８８ａ〜８８ｃの寸法は、プレート枠本体６１の各スリット６８ａ〜６８ｃに嵌入された状態で、スリット６８ａ〜６８ｃの内周面と各突条片８８ａ〜８８ｃとの間に僅かな隙間しか生じないような寸法に設定してある。すなわち、表示ランプＡを取り付けたプレート枠Ｂに化粧プレートＣを取着した状態では、３つの突条片８８ａ〜８８ｃがプレート枠本体６１の各スリット６８ａ〜６８ｃに嵌入され、スリット６８ａ〜６８ｃの内周面と各突条片８８ａ〜８８ｃとの間には僅かな隙間しか生じないことから、プレート枠本体６１の可動梁部６５の動き（撓み）が規制されることになる。その結果、プレート枠Ｂに取り付けられた表示ランプＡに大きな力が加えられた場合でも、上記の如く可動梁部６５の動きが規制されているために表示ランプＡの係止爪片１５と可動梁部６５及び固定梁部６４の係止溝６５ａ，６４ａとの係止が外れ難くなるものである。
【００５７】
（実施形態２）
本発明の実施形態２を図１６に基づいて説明する。尚、表示ランプの基本的な構成は実施形態１と同様であるので、共通する構成要素には同一の符号を付して、その説明は省略する。
【００５８】
上述の実施形態１ではネオンランプ１８や抵抗器１９の位置が固定されていないため、光り方にばらつきの生じる虞がある。そこで、本実施形態では、図１６に示すように、ネオンランプ１８と抵抗器１９とをプリント配線板よりなる基板３２に実装して、ランプ収納室２４の内部に収納している。ランプ収納室２４の底は開放されて、ボディ１と連通しており、基板３２の裏面に設けた接点３２ａ，３２ａが端子板９，９の中央片８ａ，８ａと接触することによって、電気的接続が為されている。
【００５９】
このように、本実施形態ではネオンランプ１８及び抵抗器１９を基板３２に実装して、その位置を固定しているので、ネオンランプ１８や抵抗器１９の位置がばらついて、光り方にばらつきが生じるのを防止でき、またネオンランプ１８及び抵抗器１９が実装された基板３２をランプ収納室２４内に挿入するだけでよいので、組立性が向上するという効果がある。
【００６０】
（実施形態３）
本発明の実施形態３を図１７に基づいて説明する。尚、表示ランプの基本的な構成は実施形態１と同様であるので、共通する構成要素には同一の符号を付して、その説明は省略する。
【００６１】
本実施形態では、ランプカバー２５を、前面視の形状が略矩形状であって、長手方向の中央部が両側部に比べて前方に突出するような曲面形状に形成された主部２５ａと、主部２５ａの周縁部から後方に突出する側部２５ｂとで構成しており、図１７（ｂ）に示すように側部２５ｂの下部内側面に嵌合爪２５ｄを突設するとともに、カバー保持部２２の外側面に嵌合爪２５ｄと嵌合する嵌合凹部２２ａを形成しており、嵌合爪２５ｄと嵌合凹部２２ａとを嵌合させることでランプカバー２５をカバー保持部２２に取り付けてある。ランプカバー２５における嵌合爪２５ｄの形成部位は他の部位に比べて薄肉に形成されており、撓みやすくなっているので、ランプカバー２５をカバー２に小さい力で着脱することができる。
【００６２】
従来の表示ランプでは、図２８に示すようにカバー２をボディ１から外した後、カバー２の裏側からマイナスドライバーなどの工具の先端を差し込んで、係止爪１７ｂと係止凹所との係止状態を外さねばならず、一般のユーザーではランプカバー２５の取り外し作業は不可能であったが、本実施形態では特別な工具を用いることなく手で容易に着脱できるので、一般のユーザーでも表示シート２６の交換作業を行えるようになり、表示ランプの用途を広げることができる。
【００６３】
（実施形態４）
本発明の実施形態４を図１８に基づいて説明する。尚、表示ランプの基本的な構成は実施形態１と同様であるので、共通する構成要素には同一の符号を付して、その説明は省略する。
【００６４】
上述の実施形態１ではプレート枠Ｂの開口窓６２の長手方向に沿う方向の器体の寸法が１個モジュール寸法に形成されており、ランプカバー２５も器体と同様に１個モジュール寸法に形成されているが、図１８（ａ）〜（ｃ）に示すように、開口窓６２の長手方向に沿う方向の寸法が開口窓６２の長手方向寸法の略３分の２の寸法（２個モジュール寸法）に形成されたランプカバー２５’を用意し、１個モジュール用のランプカバー２５と２個モジュール用のランプカバー２５’の何れかを選択的にカバー２に取付可能としても良く、ランプカバー２５，２５’を交換するだけで１個モジュール寸法の表示ランプと２個モジュール寸法の表示ランプを実現できる。尚、ランプカバー２５’は実施形態１で説明したランプカバー２５と同様の方法でカバー２に結合されるので、その説明は省略する。
【００６５】
また、上述の各実施形態ではカバー２及びランプカバー２５，２５’以外のボディ１、端子装置７（端子板９及び鎖錠ばね１０）、解除釦１１、弾接ばね２０などの部品を既存の表示ランプと共用しているので、製造コストを削減することができる。
【００６６】
【発明の効果】
上述のように、請求項１の発明は、細長で長手方向に複数の器具取付部を有する開口窓を備えた取付枠の器具取付部と係止離脱自在に係止する取付手段を有し、開口窓から前面を露出させた状態で取付枠に取り付けられる器体と、器体の前面に設けた開口と、前記開口に連通して器体の内部に設けられたランプ収納室と、器体の内部に収納され外部からの電線がそれぞれ接続される２つの端子装置と、両端子装置の間に電気的に接続されランプ収納室の内部に収納された表示用のランプと、前記開口を覆うようにして器体の前面に被着される透光性のランプカバーとを備え、器体の前面における前記開口の外側の部位に被係止部を設けるとともに、ランプカバーに被係止部と凹凸係止する弾性係止部を設け、前記開口の大きさを開口窓から露出する器体の前面と略同じ大きさとしたことを特徴とし、ランプカバーの弾性係止部と凹凸係止する被係止部を開口の内側に設けた場合は弾性係止部が係止する部位を設けるために開口が小さくなるが、被係止部を開口の外側に設けているので、従来の表示ランプに比べて開口を大きくとることができ、開口の大きさを開口窓から露出する器体の前面と略同じ大きさとすることによって、ランプの光により発光するランプカバーの発光面積を大きくできるという効果がある。
【００６７】
請求項２の発明は、請求項１の発明において、ランプ収納室は上記開口の投影範囲に形成され、前記ランプ収納室の底面にランプ光を前方に反射する反射面を形成したことを特徴とし、ランプ収納室を開口の投影範囲に形成しているので、ランプ収納室を開口窓から露出する器体の前面と略同じ大きさとすることができ、従来の表示ランプに比べてランプの収納スペースを大きくとれるので、より輝度の高い大型のランプを使用することもでき、ランプの選択の自由度が向上する。さらに、ランプ収納室の底面に反射面を設けており、ランプ収納室の大きさを従来の表示ランプに比べて広げているので、反射面の大きさも従来の表示ランプに比べて広げることができ、その結果、ランプ光を広い範囲に反射させて、発光面を拡大できるという効果がある。
【００６８】
請求項３の発明は、請求項１の発明において、ランプ収納室の内部にランプ光を拡散する拡散部材を配置したことを特徴とし、ランプ光を拡散部材を通してランプカバーに照射させているので、ランプカバーの発光を均一にできるという効果がある。
【００６９】
請求項４の発明は、請求項１の発明において、ランプ収納室の内部にランプ光を減光させる減光部材を配置したことを特徴とし、周囲の雰囲気に合わせて明るさを調節することができる。
【００７０】
請求項５の発明は、請求項１の発明において、ランプと直列に電流制限用の抵抗器を接続し、該抵抗器を配置するスペースをランプ収納室の裏側に設けたことを特徴とし、抵抗器をランプ収納室の内部に配置した場合は抵抗器よってランプ光が遮られ、発光面の明るさにばらつきが生じる虞があるが、抵抗器をランプ収納室の裏側に配置しているので、抵抗器によってランプ光が遮られることがなく、発光面の明るさを均一にできる。
【００７１】
請求項６の発明は、請求項１の発明において、ランプカバーの表面を、中央部が両側部に比べて前方に突出するような曲面に形成したことを特徴とし、ランプカバーの表面を曲面に形成しているので、離れた場所や角度のない場所からでも点灯状態を容易に識別でき、外観の見栄えも良くなる。
【００７２】
請求項７の発明は、請求項６の発明において、ランプカバーの表面に、他の部位よりも前方に突出する凸部を形成したことを特徴とし、凸部を設けることによって、離れた場所や角度のない場所からさらに容易に点灯状態を識別できるという効果がある。
【００７３】
請求項８の発明は、請求項１の発明において、ランプカバーの裏側に、表示内容を記載した表示シートを配置したことを特徴とし、表示シートの表示内容により、表示ランプが何を表示しているかが容易に識別できる。
【００７４】
請求項９の発明は、請求項８の発明において、ランプカバーにおける弾性係止部が設けられた部位を他の部位に比べて薄肉に形成したことを特徴とし、弾性係止部を容易に撓ませることができるから、ランプカバーを器体から小さな力で取り外すことができ、ユーザによる表示シートの交換を可能にして、表示ランプの用途を広げることができる。
【００７５】
請求項１０の発明は、請求項１の発明において、上記各端子装置は電線が接続される端子板を有し、上記ランプ及びランプに直列接続された電流制限用の抵抗器の一方のリードにそれぞれ当接するとともに、先端部が各端子板に弾接する導電性の弾接ばね片を設け、上記ランプ及び抵抗器の一方のリードに対して略直交する方向から弾接ばね片を交差させるように弾接ばね片を配置したことを特徴とし、弾接ばね片がリードに対して略直交する方向から交差するように弾接ばね片を配置しているので、弾接ばね片と略直交する方向から交差するようにリードを曲げる必要がなく、組立性が向上するという効果がある。
【００７６】
請求項１１の発明は、請求項１の発明において、上記器体を、端子装置を収納する後面側のボディと、ボディの前面に結合され、前面にランプカバーが取着されるカバーとで構成し、ボディと端子装置の部品を既存の表示ランプと共用したことを特徴とし、既存の表示ランプと部品を共通化することで、製造コストを削減することができる。
【００７７】
請求項１２の発明は、請求項１の発明において、ランプを基板に実装してランプ収納室の内部に収納したことを特徴とし、ランプを基板に実装しているので、ランプの位置を固定でき、光り方のばらつきを少なくするとともに、組立性を向上させることもできる。
【００７８】
請求項１３の発明は、請求項１の発明において、上記取付枠の開口窓には長手方向に３組の器具取付部が設けられ、開口窓の長手方向に沿う方向の器体の寸法を開口窓の長手方向寸法の略３分の１に形成し、開口窓の長手方向に沿う寸法が開口窓の長手方向寸法の略３分の１に形成された１個モジュール用のランプカバーと略３分の２に形成された２個モジュール用のランプカバーの何れかを選択的に器体に取付可能としたことを特徴とし、ランプカバーを交換するだけで１個モジュールの表示ランプと２個モジュールの表示ランプを実現できる。
【図面の簡単な説明】
【図１】実施形態１の表示ランプの分解斜視図である。
【図２】同上を示し、（ａ）は正面図、（ｂ）は側面図、（ｃ）は下面図である。
【図３】同上のランプカバーの正面図である。
【図４】（ａ）（ｂ）はランプカバーの組立手順を説明する説明図である。
【図５】（ａ）〜（ｃ）は表示シートの表示内容の一例を示す図である。
【図６】同上の表示ランプの一部分解せず断面図である。
【図７】同上の断面図である。
【図８】同上の別の表示ランプの一部分解せず断面図である。
【図９】同上の断面図である。
【図１０】（ａ）〜（ｄ）は同上に用いる遮光板の説明図である。
【図１１】同上のカバーを示し、（ａ）は正面図、（ｂ）は背面図である。
【図１２】同上のカバーを示し、（ａ）は正面図、（ｂ）は背面図である。
【図１３】同上の上面図である。
【図１４】同上の別の表示ランプの上面図である。
【図１５】同上を示し、（ａ）は正面図、（ｂ）は側面図、（ｃ）は下面図である。
【図１６】実施形態２の表示ランプの断面図である。
【図１７】実施形態３の表示ランプを示し、（ａ）はランプカバーを取り外した状態の断面図、（ｂ）は要部拡大図である。
【図１８】同上の別の表示ランプを示し、（ａ）は正面図、（ｂ）は側面図、（ｃ）は下面図である。
【図１９】同上を施工面に配設するためのプレート枠及び化粧プレートを正面から見た斜視図である。
【図２０】同上を施工面に配設するためのプレート枠及び化粧プレートを裏面から見た斜視図である。
【図２１】（ａ）（ｂ）は同上の表示ランプのプレート枠への取付方法を説明する説明図である。
【図２２】従来の表示ランプの分解斜視図である。
【図２３】同上の断面図である。
【図２４】同上のランプカバーを外した状態の断面図である。
【図２５】同上のランプカバーの正面図である。
【図２６】同上のカバーを示し、（ａ）は正面図、（ｂ）は背面図である。
【図２７】同上のランプカバーの組立手順の説明図である。
【図２８】同上のランプカバーの取り外し方法の説明図である。
【符号の説明】
１      ボディ
２      カバー
７      端子装置
１４ａ  係止孔
２３    開口
２４    ランプ収納室
２５    ランプカバー
２５ｃ  係止片
【図１】
2004205548.tif 000003
【図２】
2004205548.tif 000004
【図３】
2004205548.tif 000005
【図４】
2004205548.tif 000006
【図５】
2004205548.tif 000007
【図６】
2004205548.tif 000008
【図７】
2004205548.tif 000009
【図８】
2004205548.tif 000010
【図９】
2004205548.tif 000011
【図１０】
2004205548.tif 000012
【図１１】
2004205548.tif 000013
【図１２】
2004205548.tif 000014
【図１３】
2004205548.tif 000015
【図１４】
2004205548.tif 000016
【図１５】
2004205548.tif 000017
【図１６】
2004205548.tif 000018
【図１７】
2004205548.tif 000019
【図１８】
2004205548.tif 000020
【図１９】
2004205548.tif 000021
【図２０】
2004205548.tif 000022
【図２１】
2004205548.tif 000023
【図２２】
2004205548.tif 000024
【図２３】
2004205548.tif 000025
【図２４】
2004205548.tif 000026
【図２５】
2004205548.tif 000027
【図２６】
2004205548.tif 000028
【図２７】
2004205548.tif 000029
【図２８】
2004205548.tif 000030